(57)【要約】      （修正有）【課題】可能な限り違和感のない歯科補綴物を作製するために、作業用模型における顎堤吸収している状態を見出す測定装置とその測定装置を使用して、作業用模型における顎堤吸収している状態を見出す方法を提供する。【解決手段】左側顎堤と右側顎堤とを具備する作業用模型における正中線に押し当てるための伸縮可能なセンタースピンドル部２０と、センタースピンドル部に対して、互いに対称に開くように配置された第１脚部３０と、第２脚部４０と、を有し、センタースピンドル部は、正中線に対し収縮するように、押し当てるときに、第１脚部と前記左側顎堤との接近、又は、第２脚部と右側顎堤との接近、のいずれか一方が、その接近により接触したときに、いずれか他方が離間することによって左側顎堤または右側顎堤において、顎堤吸収された部位を見出すことができる測定装置である。【選択図】図１
2020069128.tif 000002
【特許請求の範囲】
【請求項１】
左側顎堤と右側顎堤とを具備する作業用模型における正中線に押し当てるための伸縮可能なセンタースピンドル部と、
前記センタースピンドル部に対して、互いに対称に開くように配置された第１脚部と、第２脚部と、を有し、
前記センタースピンドル部は、前記正中線に対し収縮するように、押し当てるときに、
前記第１脚部と前記左側顎堤との接近、又は、前記第２脚部と前記右側顎堤との接近、のいずれか一方が、その接近により接触したときに、いずれか他方が離間することによって前記左側顎堤または前記右側顎堤において、顎堤吸収された部位を見出すことができる測定装置。
【請求項２】
作業用模型における正中線を基準にして左側顎堤と右側顎堤の吸収度合を、前記請求項１記載の測定装置を用いて計測することによって作業用模型における顎堤吸収された部位を見出すための顎堤吸収部の測定工程と、
前記顎堤吸収部の測定工程において、顎堤吸収された部位を見出し、作業用模型の左側顎堤における顎堤吸収されている部分に、歯科技工士がパラフィンワックスを築盛することで、作業用模型の正中線に対し、左側顎堤と、右側顎堤の顎堤の形態を対称にする顎堤吸収部の修正工程と、を有する作業用模型修正方法。
【請求項３】
前記顎堤吸収部の測定工程は、前記センタースピンドル部は、前記正中線に対し収縮するように、押し当てるときに、
前記第１脚部と前記左側顎堤との接近、又は、前記第２脚部と前記右側顎堤との接近、のいずれか一方が、その接近により接触したときに、いずれか他方が離間することによって前記左側顎堤または前記右側顎堤において、顎堤吸収された部位を見出すことができる請求項２記載の作業用模型修正方法。
【発明の詳細な説明】
【技術分野】
【０００１】
本発明は、歯科補綴物の装着時に違和感のない、その歯科補綴物作製するために、作業用模型における顎堤吸収している状態を見出す測定装置とその測定装置を使用して、作業用模型における顎堤吸収している状態を見出す方法に関するものである。
【０００２】
従来は、齲蝕や歯周病などによって失われた機能の回復するために歯科補綴物を作製していた。しかしながら、近年患者のニーズは、齲蝕や歯周病などによって失われた機能の回復だけに留まらず、義歯の設計・製作において、失われた口腔の形態および審美性の回復および改善に及ぶものである。すなわち、適切に歯科補綴物を作製すると、その患者において義歯装着時の違和感がなくなるのみならず、発音障害も軽減されることで、精神的な負担を軽減することもできる。
【０００３】
このように、可能な限り違和感のない歯科補綴物を作製することができれば、患者に恩恵をもたらすことができる。そこで、特表２０１８―５０００７１号公報によると、義歯床（１）と複数の人工歯（４、１４）とを有する歯科用補綴物の作製方法であって、
当該方法は、仮想人工歯と仮想義歯床とを有する、形成すべき前記歯科用補綴物の仮想三次元歯科用補綴物モデルを用いて実施され、以下の時系列のステップ、すなわち、
Ａ）物理的咬合床（１０）を作製するステップであって、該咬合床（１０）の表面領域を、前記仮想歯科用補綴物モデルの前記仮想人工歯の歯冠側のネガ型によって形成し、前記仮想人工歯相互間の相対的な位置および配向を、前記仮想歯科用補綴物モデルに従い、前記咬合床（１０）の表面形状において維持する、ステップと、
Ｂ）既製の人工歯（４、１４）を前記咬合床（１０）に排列および固定するステップであって、前記既製の人工歯（４、１４）の歯冠側を、前記ネガ型により形成された前記咬合床（１０）の表面に排列する、ステップと、
Ｃ）前記咬合床（１０）を、該咬合床に固定された前記人工歯（４、１４）と共に、三次元プラスチック構造の積層造形装置に固定するステップと、
Ｄ）前記三次元プラスチック構造の積層造形装置によって、前記仮想義歯床の形状に基づき、前記人工歯（４、１４）の基底側端部（８）に前記義歯床（１）をプリントするステップと、を含むことを特徴とする、歯科用補綴物の作製方法が開示されている。
【０００４】
しかしながら上記作製方法は、いわゆる、デジタルデータを取得して３次元プリンターで作製するといういわば、デジタル的な手法を用いるものであり、その作製方法を構築するには、多大なコストがかかることになる。
【０００５】
一方で従来からのいわばアナログ的な手法の歯科用補綴物の作製方法があり、その方法によれば多大なコストがかさむことがない。よって、その方法においても可能な限り違和感のない歯科補綴物を作製することが求められている。そこで、違和感のない歯科補綴物を作製するためには、作業用模型における顎堤吸収されている部分を見出し、これを修復することが求められている。
【先行技術文献】
【特許文献】
【０００６】
【特許文献１】特表２０１８―５０００７１号公報
【発明の開示】
【発明が解決しようとする課題】
【０００７】
本発明は前記の点に着目してなされたもので、可能な限り違和感のない歯科補綴物を作製するために、作業用模型における顎堤吸収している状態を見出す測定装置とその測定装置を使用して、作業用模型における顎堤吸収している状態を見出す方法を提供することを課題とする。
【課題を解決するための手段】
【０００８】
前記の課題を解決するため、第１観点の測定装置は、左側顎堤と右側顎堤とを具備する作業用模型における正中線に押し当てるための伸縮可能なセンタースピンドル部と、センタースピンドル部に対して、互いに対称に開くように配置された第１脚部と、第２脚部と、を有し、センタースピンドル部は、正中線に対し収縮するように、押し当てるときに、第１脚部と左側顎堤との接近、又は、右側顎堤との接近、のいずれか一方が、その接近により接触したときに、いずれか他方が離間することによって、左側顎堤または右側顎堤において、顎堤吸収された部位を見出すことができるというものである。
【０００９】
第２観点の測定方法は、作業用模型における正中線を基準にして左側顎堤と右側顎堤の吸収度合を、第１観点の測定装置を用いて計測することによって作業用模型における顎堤吸収された部位を見出すための顎堤吸収部の測定工程と、顎堤吸収部の測定工程において、顎堤吸収された部位を見出し、作業用模型の左側顎堤における顎堤吸収されている部分に、歯科技工士がパラフィンワックスを築盛することで、作業用模型の正中線に対し、左側顎堤と、右側顎堤の顎堤の形態を対称にする顎堤吸収部の修正工程と、を有するというものである。
【００１０】
第３観点の測定方法は、第２観点において、顎堤吸収部の測定工程は、センタースピンドル部は、正中線に対し収縮するように、押し当てるときに、第１脚部と左側顎堤との接近、又は、第２脚部と右側顎堤との接近、のいずれか一方が、その接近により接触したときに、いずれか他方が離間することによって左側顎堤または右側顎堤において、顎堤吸収された部位を見出すことができるというものである。
【発明の効果】
【００１１】
本発明は、以上の如く構成されるため、可能な限り違和感のない歯科補綴物を作製するために、作業用模型における顎堤吸収している状態を見出す測定装置とその測定装置を使用して、作業用模型における顎堤吸収している状態を見出す方法を提供することができる。
【図面の簡単な説明】
【００１２】
【図１】Ａは、測定装置の正面図である。Ｂは、開いた状態の測定装置の正面図である。
【図２】Ａは、測定装置の斜視図である。Ｂは、開いた状態の測定装置の斜視図である。
【図３】作業用模型の概念図である。
【図４】Ａは、作業用模型に測定装置を押し当てた状態の概念図である。Ａの部分拡大図である。
【図５】作業用模型に測定装置を押し当てた状態の概念図である。
【図６】咬合床の概念図である。
【図７】咬合器に作業用模型を装着状態の概念図である。
【図８】咬合床に、人工歯を排列した状態の図である
【図９】作業用模型にパラフィンワックスを築盛した状態の図である。
【図１０】作業用模型と口蓋コアとを示した図である。
【図１１】メタルフレーム製作のために作業用模型に外形線を記入した状態の図である。
【図１２】耐火模型製作のためのブロックアウト及びリリーフした状態の図である
【図１３】アズキャストの状態を示した図である。
【図１４】完成した歯科補綴物を示した図である。
【図１５】歯科補綴物を作製する方法を説明したフローチャートである。
【発明を実施するための形態】
【００１３】
以下本実施例について説明する前に、本実施例の歯科補綴物を作製方法に使用する測定装置について説明する。測定装置１０は、伸縮可能な収縮部２１を有するセンタースピンドル部２０と、そのセンタースピンドル部２０に対して、互いに対称に配置された第１脚部３０と、第２脚部４０と、それらを接続する接続部５０と図示しない作業者が持つ把持部６０と、を有する。尚、接続部５０の内部には、センタースピンドル部２０に対して、第１脚部３０と、第２脚部４０と、が互いに対称に開くように、第１脚部３０と、第２脚部４０とのそれぞれの上端に第１歯車３１と第２歯車４１とを配置し、互いにそれらがかみ合うように配置されている。なお、センタースピンドル部２０′は、収縮部２１が収縮した状態を表している。
【００１４】
測定装置１０は、全体として、いわば、玩具のやじろべー、すなわち釣合人形ともいうべきものに近似するものである。あるいは、文房具のコンパスの両脚部の中央に、上述のセンタースピンドル部２０を付加したようなものである。また、センタースピンドル部２０の内部に図示しないコイルバネを内包することによって、押圧することによって伸縮する収縮部２１を有する構成である。尚、図２Ａにおけるセンタースピンドル部２０は、最大長さを呈している。また、図２Ｂにおいては、センタースピンドル部２０は収縮した状態を呈している。
【００１５】
また、上記のとおり第１脚部３０と、第２脚部４０は、その第１脚部３０の上端に配置された第１歯車３１と、その第２脚部４０の上端に配置された第２歯車４１と、が互いにかみ合うことで、センタースピンドル部２０に対して、互いに対称に配置され、第１脚部３０を開くと、第２脚部４０も同じ角度を有するように、互いに対称に開くものであるので、第１脚部３０と、第２脚部４０と、は、センタースピンドル部２０に対して、対称となる位置を指し示すことができる。
【００１６】
測定装置１０は、後述するように、作業用模型１００（図３参照）における正中線１０１に、センタースピンドル部２０を押し付けるように配置し、互いに対称に配置された第１脚部３０と、第２脚部４０とを、それぞれ、作業用模型１００における左側顎堤１１０と右側顎堤１２０に押し当てる。この際に、作業用模型における左側顎堤１１０の部分と右側顎堤１２０の部分とのいずれかが、いわゆる顎堤吸収している状態を呈していると、その押し当てているセンタースピンドル部２０が収縮したとしても、第１脚部３０と、第２脚部４０のいずれかが、作業用模型１００における左側顎堤１１０または右側顎堤１２０に接するものの、いずれか他方は接しないで離間した状態となる。
【００１７】
すなわち、伸縮可能な収縮部２１を有するセンタースピンドル部２０を作業用模型１００における正中線１０１に押し当てる。第１脚部３０と、第２脚部４０は、センタースピンドル部２０に対して、互いに対称に開くように配置されているために、例えば、第１脚部３０と、前記作業用模型１００における左側顎堤１１０と、の接近、あるいは、第２脚部４０と、作業用模型１００における右側顎堤１２０と、の接近により、いずれか一方が接触したときに、いずれか他方が離間することによってその作業用模型における顎堤吸収された部位１１０ａを見出すことができる。ここで、顎堤吸収とは、歯槽骨の吸収によって起こる欠損部顎堤の形態的変化をいう。
【００１８】
このように、たとえば、作業用模型１００における左側顎堤１１０がいわゆる顎堤吸収している状態であれば、第２脚部４０は、右側顎堤１２０に接するものの、第１脚部３０は、左側顎堤１１０に接しない状態となる。すなわち、第１脚部３０と、左側顎堤１１０とは、離間している状態となる。このように、測定装置１０は、作業用模型１００における正中線１０１に対し、その作業用模型１００における左右に配置された左側顎堤１１０または右側顎堤１２０との形状が対称でないことを見出すことができる。図４Ａ、Ｂにおいては、第１脚部３０と、前記作業用模型１００における左側顎堤１１０とが離間した状態となりそれらが接しない状態を呈しているので、左側顎堤１１０に顎堤吸収された部位１１０ａを見出すことができる。
【００１９】
このように、第１脚部３０または第２脚部４０とのいずれかが、接しない状態となる部分（例えば部位１１０ａ）に後述のパラフィンワックス１５０を築盛することで、作業用模型１００の正中線１０１に対し、その作業用模型１００の左側顎堤１１０と右側顎堤１２０との顎堤の形態を対称にすることができるというものである（図５参照）。このように、歯科技工士が、作業用模型１００の正中線１０１に対し、その作業用模型１００の左側顎堤１１０と右側顎堤１２０との顎堤の形態を対称に修正することで、正中線１０１に対し左右対称の作業用模型１００を使用して、後述の歯科補綴物３００を作製することで、患者に対し違和感のないその歯科補綴物３００を提供することができる。
【００２０】
次に、歯科補綴物３００を作製する方法を説明する。１例として、患者は６１歳、男性で義歯装着経験が全くない状態で現在に至っている。義歯を装着する目的は、患者の上顎前歯部の審美性の回復および口腔機能の回復である。
【００２１】
歯科補綴物３００を作製する方法とは、歯科医師により、患者の口腔内を診査および診断する。次に、歯科技工士はその診査によって得た知見を活用し、図示しない研究用模型の製作を行う（研究用模型製作工程ｓ５００）。
【００２２】
次に、歯科技工士は、図示しない個人トレーを製作する。歯科医師は、その個人トレーを活用し患者の、口腔内の印象を採取する（個人トレー製作工程ｓ５１０）。
【００２３】
歯科技工士は、作業用模型１００の製作と咬合床２００の製作を行う（作業用模型製作工程ｓ５２０）。例えば、本症例の作業用模型１００を図６に示す。公知の方法によって、図６における咬合床２００の製作を行う。義歯外形は治療用義歯を参考に行い、例えば、上述の患者の場合は上顎第二大臼歯後方部まで義歯床を延長する。なお、治療用義歯とは、治療中の患者の顔貌や咀嚼能率の回復、歯周組織の安静、義歯を受け入れるための訓練に使用する義歯である。
【００２４】
次に、歯科医師によって、咬合採得をし、その完了後、歯科技工士が咬合器２０１に作業用模型１００を装着する（図７）（咬合器装着工程ｓ５３０）。
【００２５】
歯科技工士は、歯科医師によって選択された人工歯２１０、２１０では、左右の間隙量が異なるため、右左側で人工歯２１０の大きさ、形態を変えて排列を行った（図８参照）。ここで、左右の間隙量とは、欠損部の間隙量をいう。人工歯２１０は、患者の顎の形と大きさ、顔の形性別などを考慮した形態などで選択される。本症例のように左右の中切歯が残存している場合、中切歯の大きさから、側切歯、犬歯の大きさが決められるものの、そのスペースが不足したため、小さめの人工歯を選択した。なお、モールドを変えるとは、人工歯の大きさや形態を変えることをいう。また、この例において第二大臼歯部は間隙量が少ないため、人工歯を排列せず、義歯床２２０のみを付与した（図８参照）。
【００２６】
歯列や正中線（顔の左右の中心を示す線）が蝋義歯に対し、ずれていないか確認するための試適を行う。なお、蝋義歯とは咬合採得後、咬合床２００に人工歯排列し、最終義歯の外形を蝋で整えたものである。
【００２７】
上述の試適を行い、歯並び等の審美性の回復や咬合関係の確認などの最終調整確認した後に、歯科技工士は、作業用模型１００と人工歯２１０の位置関係を正しく記録するため石膏コアで採得する。採得後、咬合床２００を取り外し、作業用模型１００の正中線１０１に対し、その作業用模型１００の顎堤（左側顎堤１１０および右側顎堤１２０）の左右対称性を計測する(図４Ａ、Ｂ参照)。計測には測定装置１０を用い、作業用模型１００における正中線１０１を基準にして左側顎堤１１０と右側顎堤１２０の吸収度合を計測する。
【００２８】
具体的には、作業用模型１００の正中線１０１に、測定装置１０における伸縮可能なセンタースピンドル部２０を押し付ける。このときに、その測定装置１０における第１脚部３０と、第２脚部４０と、は、それぞれ、左側顎堤１１０と右側顎堤１２０と、に接触させることでその測定を行う（顎堤吸収部の測定工程ｓ５４０）。
【００２９】
すなわち、患者の左側顎堤と右側顎堤の吸収度合は、左右で異なる場合が多く、センタースピンドル部２０を作業用模型１００の正中線１０１に押し付けると、その伸縮部２１が徐々に収縮し、センタースピンドル部２０に対し、互いに対称に開いた第１脚部３０または、第２脚部４０が、上記のとおり、左側顎堤１１０または、右側顎堤１２０に、接触する。
【００３０】
その際に、左側顎堤１１０または、右側顎堤１２０が対称であれば、第１脚部３０が左側顎堤１１０に接触すると同時に、第２脚部４０が右側顎堤１２０に接触する。しかしながら、左側顎堤１１０が、いわゆる顎堤吸収されている場合は、顎堤低吸収されていない右側顎堤１２０に、第２脚部４０が接触するものの、第１脚部３０は、左側顎堤１１０に接触しないということになる。
【００３１】
すなわち、上記のとおり、伸縮可能な収縮部２１を有するセンタースピンドル部２０を作業用模型１００における正中線１０１に押し当てるとその収縮部２１が収縮する。第１脚部３０と、第２脚部４０は、センタースピンドル部２０に対して、互いに対称に開くように配置されているために、例えば、第１脚部３０と作業用模型１００における左側顎堤１１０とが接近するとともに、第２脚部４０と作業用模型１００における右側顎堤１２０とが接近すると、顎堤吸収されている部位１１０ａを有する左側顎堤１１０と、第１脚部３０とは離間した状態を呈するとともに、第２脚部４０と作業用模型１００における右側顎堤１２０とは、接するということになる（図４Ａ、Ｂ参照）。
【００３２】
従って、センタースピンドル部２０を、正中線１０１に対し収縮するように、押し当てるときに、第１脚部２０と左側顎堤１１０との接近、又は、第２脚部３０と右側顎堤１２０との接近により、いずれか一方が、その接近により接触したときに、いずれか他方が離間することによって左側顎堤１１０または前記右側顎堤１２０において、顎堤吸収された部位１１０ａを見出すことができる。このように、作業用模型１００において、顎堤吸収された部位１０１ａを見出すことができることは上述のとおりである。
【００３３】
このように、上述の顎堤吸収部の測定工程ｓ５４０において、作業用模型１００における顎堤吸収された部位１１０ａを見出した場合において、作業用模型１００の左側顎堤１１０における顎堤吸収された部位１００ａに、歯科技工士がパラフィンワックス１５０を築盛（図９参照）することで、作業用模型１００の正中線１０１に対し、左側顎堤１１０と、右側顎堤１２０の顎堤の形態を対称にする（顎堤吸収部の修正工程ｓ５５０）。
【００３４】
このように、作業用模型１００における顎堤吸収された部位１１０ａを見出し、その部分を歯科技工士がパラフィンワックス１５０を築盛することでその正中線１０１に対し、対称な形態の作業用模型１００を制作することができる。よって、この作業用模型１００を活用することで、抜歯によって顎堤吸収された部位１１０ａを、補うことで対称な形態にした歯科補綴物３００を提供することができ、患者が、その歯科補綴物３００を装着した場合に違和感のない歯科補綴物３００を装着することができる。
【００３５】
その後、作業用模型１００から咬合床２００を撤去する。その後、石膏コアを用いて人工歯２１０を作業用模型１００に戻す（図１０）。図１０の状態が健全な口腔内（口蓋部や舌側部が抜歯前に近い形態）を模したもので機能美デザインの根幹となる。
【００３６】
次に、歯科技工士が人工歯２１０の位置や歯肉形成による形態回復などで、健全な口腔内の再現を行う（健全な口腔内は、治療用義歯によって得られた診断を参考に構築する）。その後、歯科用石膏を用いて、口蓋コア２４０を製作する。なお歯科用石膏は標準混水比で練和して用いる。作業用模型１００には図示しない石膏分離材を薄く塗布した後、口蓋コア２４０の採得は歯頸部付近まで行う。作業用模型１００と口蓋コア２４０の関係を図１０に示す（デンチャー設計工程ｓ５６０）。
【００３７】
コア採得完了後、歯科技工士がメタルフレーム製作のため、作業用模型１００に外形線１６０を記入する（図１１参照）。また、耐火模型製作のためのブロックアウトおよびリリーフは通法に従って行う（図１２参照）（メタルフレーム作製工程ｓ５７０）。
【００３８】
また以下の方法は公知のものであるので、簡単な説明にとどめる。メタルフレーム製作のための外形線を耐火模型に転記する。なお、歯科用コバルトクロム合金を使用する場合、高温鋳造用リン酸塩系埋没材を用いる。
【００３９】
歯科技工士は、ワックスアップに先立ち、耐火模型（リン酸塩系埋没材でつくられた模型）上に石膏コアを戻し、石膏コア材にはワックス分離材を塗布する。
【００４０】
次に、歯科技工士は、石膏コアと耐火模型との唇頬側のすき間から、インレーワックスを流し込む。インレーワックスが硬化した後、ワックス分離材の効果で石膏コアがスムーズに取り外せるので石膏コア撤去して維持装置部分からワックスアップを開始する。ワックスアップで注意することは、ワックスの厚みを周囲歯肉の厚さに合わせるようにするため、ステップルシートワックスを０．３５ｍｍの薄いものを使用することができる。
【００４１】
アズキャスト２５０の状態を図１３に示す。研磨は通法に従って行う（埋没・重合・研磨工程ｓ５９０）。フレーム外形の適合は、床縁から０．５ｍｍ手前を切削加用具のカーバイドバー・ラウンドで加工することで、辺縁が反って適合を向上させる。なお、アズキャスト２５０とは、鋳造して埋没材から取り出したままで、なんらの熱処理や熱加工を加えていない状態のことをいう。
【００４２】
フレーム製作が完了した後、排列位置を図８と同様に設定する。人工歯は石膏コアに嵌め、軟化したパラフィンワックスでフレームと一体化させ、硬化後、歯肉形態を整えて完了となる。人工歯を石膏コアに嵌めた状態をインデックスと呼び、これを用いない場合は患者に再度の試適を課すこととなる（インデックスを用いた排列・歯肉形成工程ｓ５８０）。
【００４３】
次に流し込みレジンを用いて重合を行う。レジン研磨は通法に従って行い完成させる（１５参照）。このように、上記方法を使用して、製作した作業用模型１００を活用することで、抜歯によって顎堤吸収された部位１１０ａを、補うことで対称な形態にした歯科補綴物３００を提供することができ、患者が、その歯科補綴物３００を装着した場合に違和感のない歯科補綴物３００を製作することができる。よって、顎堤形態を左右対称に回復をさせることで、患者に対して、舌触りの違和感を解消させることができる。
【符号の説明】
【００４４】
１０  測定装置
２０  センタースピンドル部
２１  収縮部
３０  第１脚部
４０  第２脚部
５０  接続部
６０  把持部
ｓ５００  研究用模型製作工程
ｓ５１０  個人トレー製作工程
ｓ５２０  作業用模型製作工程
ｓ５３０  咬合器装着工程
ｓ５４０  顎堤吸収部の測定工程
ｓ５５０  顎堤吸収部の修正工程
ｓ５６０  デンチャー設計工程
ｓ５７０  メタルフレーム製作工程
ｓ５８０  インデックスを用いた排列・歯肉形成工程
ｓ５９０  埋没・重合・研磨工程
【図１】
2020069128.tif 000003
【図２】
2020069128.tif 000004
【図３】
2020069128.tif 000005
【図４】
2020069128.tif 000006
【図５】
2020069128.tif 000007
【図６】
2020069128.tif 000008
【図７】
2020069128.tif 000009
【図８】
2020069128.tif 000010
【図９】
2020069128.tif 000011
【図１０】
2020069128.tif 000012
【図１１】
2020069128.tif 000013
【図１２】
2020069128.tif 000014
【図１３】
2020069128.tif 000015
【図１４】
2020069128.tif 000016
【図１５】
2020069128.tif 000017